(57)【特許請求の範囲】
【請求項１】
受信アンテナから伝送線を介して伝送されてくる受信信号の中から、外部から指定された特定チャンネルの受信信号を選局する選局手段と、
該選局手段にて選局された特定チャンネルの受信信号の信号レベルを検出する検出手段と、
該検出手段により検出された信号レベルを表示手段に表示する制御手段と、
を備えた受信レベル測定装置であって、
前記伝送線での信号の伝送特性を表す特性データを記憶する記憶手段と、
該記憶手段に記憶された特性データを用いて、前記選局手段が選局した受信信号の上記伝送線での伝送損失を求め、該伝送損失を前記検出手段が検出した信号レベルに加算することにより、前記制御手段が表示手段に表示する信号レベルを補正する補正手段と、
を備え、
前記記憶手段には、前記特性データとして、周波数が異なる２以上の信号の各々に対して前記伝送線の単位長さ当たりの伝送損失を記述した第２データと、前記伝送線の長さを表す第３データとが記憶されており、
前記補正手段は、前記第２データを用いた補間計算によって前記選局手段が選局した受信信号の周波数に対応する伝送線単位長さ当たりの伝送損失を算出し、該算出結果と前記第３データとを用いて前記伝送線での受信信号の伝送損失を求め、該伝送損失を用いて前記信号レベルの補正を行うことを特徴とする受信レベル測定装置。
【請求項２】
前記記憶手段に記憶された第２データは、前記受信信号の最低周波数以下となる第１周波数の信号及び前記受信信号の最大周波数以上となる第２周波数の信号が前記伝送線を流れる際に生じる単位長さ当たりの伝送損失からなることを特徴とする請求項１に記載の受信レベル測定装置。
【請求項３】
前記記憶手段には、種類が異なる複数の伝送線での信号の伝送特性を夫々表す複数の特性データが記憶されており、
前記補正手段は、外部から指定された伝送線に対応する特性データを前記記憶手段から読み込み、該読み込んだ特性データを用いて、前記伝送損失を求めることを特徴とする請求項１又は請求項２に記載の受信レベル測定装置。
【請求項４】
外部からの指令に従い前記記憶手段に記憶された前記特性データを更新する更新手段を備えたことを特徴とする請求項１〜請求項３の何れかに記載の受信レベル測定装置。
【発明の詳細な説明】
【０００１】
【発明の属する技術分野】
本発明は、受信アンテナにて受信された受信信号の信号レベルを測定する受信レベル測定装置に関する。
【０００２】
【従来の技術及び発明が解決しようとする課題】
従来より、放送局からの送信電波の電界強度を測定したり、受信アンテナを放送局に向けて設置する際には、受信アンテナからの受信信号の信号レベルを測定する受信レベル測定装置が使用されている。
【０００３】
そして、この種の受信レベル測定装置は、通常、受信アンテナから出力される受信信号の中から使用者が指定した特定チャンネルの受信信号を選局し、その選局した受信信号の信号レベル（電圧）を検出し、その検出した信号レベルを表示データに変換して、表示装置に表示するようにされている。
【０００４】
このため、この種の受信レベル測定装置を用いれば、使用者は、表示装置の表示画面を見ることにより、指定したチャンネルの信号レベルを簡単に知ることができる。
しかし、従来の受信レベル測定装置では、選局した受信信号の信号レベルをそのまま表示データに変換するため、表示装置には受信レベル測定装置に入力された受信信号の信号レベルが表示されてしまい、受信アンテナにて受信された受信信号の信号レベルを表示することができなかった。
【０００５】
つまり、受信信号の信号レベルを測定する際、受信アンテナと受信レベル測定装置とは、伝送線（通常、同軸ケーブル）を介して接続されるため、受信レベル測定装置には、受信アンテナから出力された受信信号が、伝送線で減衰されて入力されるが、従来の受信レベル測定装置は、伝送線を介して入力された受信信号の信号レベルを表示するようになっていたため、受信アンテナにて受信された受信信号の信号レベル（換言すれば、伝送線にて減衰される前の受信信号の信号レベル）を表示装置に表示することができないのである。
【０００６】
このため、従来の受信レベル測定装置を用いて、受信アンテナにて受信された受信信号の信号レベルを測定するには、使用者は、表示装置に表示された信号レベルを読み取り、その読み取った信号レベルに伝送線での伝送損失を加算しなければならず、測定作業が面倒であるという問題があった。
【０００７】
また、受信信号の伝送線での伝送損失は、測定対象となっている受信信号のチャンネル（換言すれば受信信号の周波数）によって変化し、また伝送線の種類や長さによっても変化するため、受信アンテナから出力される受信信号の信号レベルを正確に測定するには、使用者は、受信信号のチャンネル（若しくは周波数）から測定に使用する伝送線での伝送損失を求めるための換算表を準備しておき、測定時には、その換算表を用いて伝送線での伝送損失を求めなければならないという問題もある。
【０００８】
本発明は、こうした問題に鑑みなされたもので、受信アンテナにて受信された受信信号の信号レベルを測定する受信レベル測定装置において、使用者が受信信号伝送用の伝送線での伝送損失を考慮することなく、信号レベルを簡単且つ正確に測定できるようにすることを目的とする。
【０００９】
【課題を解決するための手段】
係る目的を達成するためになされた請求項１に記載の受信レベル測定装置においては、選局手段が、受信アンテナから伝送線を介して伝送されてくる受信信号の中から、外部から指定された特定チャンネルの受信信号を選局し、検出手段が、その選局された特定チャンネルの受信信号の信号レベルを検出し、制御手段が、その検出された信号レベルを表示手段に表示する。
【００１０】
また、本発明の受信レベル測定装置には、伝送線での信号の伝送特性を表す特性データを記憶する記憶手段が備えられており、補正手段が、その特性データを用いて、選局手段が選局した受信信号の伝送線での伝送損失を求め、この伝送損失を検出手段が検出した信号レベルに加算することにより、制御手段が表示手段に表示する信号レベルを補正する。
【００１１】
従って、本発明の受信レベル測定装置によれば、表示手段には、受信アンテナから出力され、伝送線を通過する前の受信信号の信号レベルが表示されることになる。よって、本発明の受信レベル測定装置を用いれば、使用者は、表示手段から信号レベルを読み取る際に、伝送線での受信信号の伝送損失を考慮する必要がなく、表示された信号レベルをそのまま読み取るだけで、受信アンテナから出力された受信信号の信号レベルを正確に測定できる。
【００１２】
ここで、記憶手段に記憶する特性データとしては、伝送線での信号の伝送特性を正確に記述した演算式であっても、表示手段に表示する信号レベルを補正することはできる。
しかし、伝送線の伝送特性は所謂ルートｆ特性を有することから、その伝送特性を演算式にて記述すると、演算式が複雑になってしまう。そして、このような演算式を記憶手段に記憶させると、補正手段では、その演算式に従い複雑な演算処理を実行する必要があるため、本発明の受信レベル測定装置を実際に構成する際には、補正手段として、複雑な演算処理を実行可能な演算回路を使用しなければならなくなり、結果的に、受信レベル測定装置のコストアップを招くことが考えられる。
【００１３】
このため、表示手段に表示する信号レベルを補正するに当たって、記憶手段には、特性データとして、周波数が異なる２以上の信号の各々に対して伝送線での伝送損失を記述した第１データを記憶しておき、補正手段では、その第１データを用いた補間計算によって選局手段が選局した受信信号の周波数に対応する伝送損失を求め、その伝送損失を用いて信号レベルの補正を行うようにしてもよい。
【００１４】
つまり、このようにすれば、補正手段は、記憶手段に記憶されている特性データから、選局手段が選局している受信信号の周波数（以下、測定対象周波数ともいう）に近い２つの周波数での伝送損失を読み取り、これら各周波数と伝送損失との比例計算によって、測定対象周波数での伝送損失を求める、といった手順（補間計算）で、伝送線での受信信号の伝送損失を求めることができるようになるため、補正手段として、比例計算ができる程度の比較的安価な演算回路を用いることができることになり、延いては、本発明の受信レベル測定装置を低コストで実現できるようになる。
【００１５】
しかし、伝送線で生じる受信信号の伝送損失は、伝送線の長さによって変化する。
【００１６】
そこで、本発明（請求項１）では、記憶手段には、特性データとして、周波数が異なる２以上の信号の各々に対して伝送線の単位長さ当たりの伝送損失を記述した第２データと、その伝送線の長さを表す第３データとを記憶しておき、補正手段では、まず、第２データを用いた補間計算によって選局手段が選局した受信信号の周波数に対応する伝送線単位長さ当たりの伝送損失を算出し、その後、その算出結果と第３データとを用いて伝送線での受信信号の伝送損失を求め、その伝送損失を用いて信号レベルの補正を行うようにしている。
【００１７】
つまり、このようにすれば、補正手段は、簡単な補間計算（比例計算）と、この補間計算にて得られる伝送損失と第３データにて特定される長さとのかけ算とで、伝送線での受信信号の伝送損失を求めることができるようになるため、補正手段を安価な演算回路を用いて実現でき、延いては、本発明の受信レベル測定装置を低コストで実現できるようになる。また、伝送損失をルートｆ特性に則って演算する場合に比べて、演算にかかる時間が短縮されることから、よりリアルタイムなレベル表示が可能になる。
なお、記憶手段に記憶する第２データとしては、請求項２に記載のように、受信信号の最低周波数以下となる第１周波数の信号及び受信信号の最大周波数以上となる第２周波数の信号が伝送線を流れる際に生じる単位長さ当たりの伝送損失とするとよい。
【００１８】
また次に、記憶手段には、特定の伝送線に対応する特性データを１つだけ記憶するようにしてもよいが、このようにすると、信号レベルの測定に使用可能な伝送線が１種類の伝送線に制限されてしまい、受信レベル測定装置の使い勝手が悪くなる。
【００１９】
そこで、本発明の受信レベル測定装置は、請求項３に記載のように、記憶手段には、種類が異なる複数の伝送線での信号の伝送特性を夫々表す複数の特性データを記憶しておき、補正手段が、伝送線での受信信号の伝送損失を求める際には、記憶手段に記憶された複数の特性データの中から、外部から指定された伝送線に対応する特性データを選択して読み込むようにするとよい。
【００２０】
つまり、このようにすれば、使用者は、信号レベルの測定に使用する伝送線を、記憶手段に記憶された複数の特性データに対応する伝送線の中から選択することができるようになり、受信レベル測定装置の使い勝手を向上できる。
また、記憶手段には、受信レベル測定装置の製造時に特性データを登録するようにし、受信レベル測定装置の出荷後は、その特性データを変更できないようにしてもよいが、より好ましくは、請求項４に記載のように、外部からの指令に従い記憶手段に記憶された特性データを更新する更新手段を設けることにより、受信レベル測定装置の出荷後、記憶手段に記憶された特性データを任意に更新できるようにするとよい。
【００２１】
つまり、このようにすれば、使用者は、信号レベルの測定に使用する伝送線を変更した際、その伝送線に対応した特性データを記憶手段に登録することで、受信アンテナから出力される受信信号の信号レベルを表示手段に表示させることができる。よって、請求項４に記載の受信レベル測定装置によれば、受信アンテナから出力された受信信号の信号レベルを表示手段に表示させるのに必要な伝送線が記憶手段に記憶された特性データに制限されることがなく、受信レベル測定装置の使い勝手をより向上することが可能となる。
【００２２】
【発明の実施の形態】
以下に本発明の実施例を図面と共に説明する。
まず図１は、２つの人工衛星（以下、衛星Ａ，衛星Ｂとよぶ）からそれぞれ送出される直交２偏波の電波を受信する受信アンテナ２に同軸ケーブルからなる伝送線９を介して接続され、受信アンテナ２から伝送線９を介して伝送されてくる受信信号の信号レベルを測定する受信レベル測定装置１０全体の構成を表すブロック図である。
【００２３】
図１に示すように、本実施例では、受信アンテナ２としてオフセット型のパラボラアンテナが用いられており、受信アンテナ２の反射鏡４は、当該受信アンテナ２を屋根や地面の上に固定するための固定台７に立設された支柱６に、反射鏡４の仰角及び方位角，場合によっては回転角を調整可能な支持具（図示せず）を介して取り付けられている。また支持具には、反射鏡４により集波された各衛星Ａ，Ｂからの垂直及び水平偏波の電波をそれぞれ受信し、いずれかの偏波信号を所定周波数帯（９５０〜１８８０ＭＨｚ）の第１中間周波信号（ＲＦ信号）に変換して、これを受信信号として出力するコンバータ３０が支持腕８を介して取り付けられている。
【００２４】
そして、このコンバータ３０には、図２に示すように、反射鏡４により集波され円形導波管３２により導かれた衛星Ａからの垂直及び水平偏波をプローブＰ１，Ｐ２を介して受波する第１受波部３４と、同じく反射鏡４により集波され円形導波管３３に導かれた衛星Ｂからの垂直及び水平偏波をプローブＰ３，Ｐ４を介して受波する第２受波部３５とが設けられている。
【００２５】
このうち第１受波部３４は、プローブＰ１，Ｐ２からの出力信号、即ち垂直及び水平偏波信号をそれぞれ増幅する垂直偏波信号増幅回路３４ａ，及び水平偏波信号増幅回路３４ｂと、各偏波信号増幅回路３４ａ，３４ｂからの出力信号を混合する混合回路３４ｃとを備えている。一方、第２受波部３５は、第１受波部３４と全く同様の構成をしており、プローブＰ３，Ｐ４からの垂直及び水平偏波信号をそれぞれ増幅する垂直偏波信号増幅回路３５ａ，及び水平偏波信号増幅回路３５ｂと、各偏波信号増幅回路３５ａ，３５ｂからの出力信号を混合する混合回路３５ｃとを備えている。
【００２６】
尚、各偏波信号増幅回路３４ａ，３４ｂ，３５ａ，３５ｂは、正負の電源電圧を受けて動作する高電子移動度トランジスタ（ＨＥＭＴ）を中心に構成された周知の低雑音増幅回路からなり、両受波部３４，３５の各垂直偏波信号増幅回路３４ａ，３５ａには正電源＋Ｖｖ，各水平偏波信号増幅回路３４ｂ，３５ｂには正電源＋Ｖｈが印加され、また、第１受波部３４の両偏波信号増幅回路３４ａ，３４ｂには負電源−Ｖａ，第２受波部３５の両偏波信号増幅回路３５ａ，３５ｂには負電源−Ｖｂが印加されている。そして、後述の正電源供給回路４５から正電源＋Ｖｖ，＋Ｖｈのいずれか一方、及び後述の負電源供給回路４６から負電源−Ｖａ，−Ｖｂのいずれか一方をそれぞれ供給し、これら供給される正負電源の組み合わせに従って、正負両電源が印加される偏波信号増幅回路３４ａ，３４ｂ，３５ａ，３５ｂのいずれか一つを選択的に駆動するようにされている。
【００２７】
また、コンバータ３０は、各受波部３４，３５からの出力信号を混合する混合回路３６と、混合回路３６からの出力信号を増幅する高周波増幅回路３７と、高周波増幅回路３７からの出力信号を、局部発振回路３８からの出力信号と混合し周波数変換して前述のＲＦ信号を生成するミキサ３９と、ミキサ３９が生成したＲＦ信号を増幅する中間周波増幅回路４０とを備え、この増幅されたＲＦ信号が、直流遮断用のコンデンサ４１、入出力端子４２を介して、伝送線９（図１参照）に出力されるように構成されている。
【００２８】
更に、コンバータ３０は、コンデンサＣ１，Ｃ２及びコイルＬからなり、伝送線９を介して入出力端子４２に印加される入力から直流成分のみを抽出するローパスフィルタ４３と、ローパスフィルタ４３の出力に基づいて、当該コンバータ３０の各部を駆動するための正電源＋Ｖｃ及び負電源−Ｖｃを生成する定電圧回路４４と、第１及び第２受波部３４，３５に正電源＋Ｖｖ，＋Ｖｈのいずれかを供給する正電源供給回路４５と、第１及び第２受波部３４，３５に負電源−Ｖａ，−Ｖｂのいずれかを供給する負電源供給回路４６と、ローパスフィルタ４３の出力電圧（以下、給電電圧という）を予め設定された比較電圧（本実施例では１３Ｖ）とを比較し、比較電圧より小さければ正電源＋Ｖｖ，比較電圧以上であれば正電源＋Ｖｈが供給されるよう正電源供給回路４５を制御する偏波切換制御回路４７と、入出力端子４２に印加される入力に、トーン信号（３２ｋ〜５３ｋＨｚ）が重畳されているか否かを判断し、重畳されていれば負電源−Ｖａ，重畳されていなければ負電源−Ｖｂが供給されるよう負電源供給回路４６を制御する衛星切換制御回路４８とを備えている。
【００２９】
即ち、コンバータ３０では、入出力端子４２からの入力にトーン信号が重畳されているか否かにより、衛星Ａ，Ｂのいずれかを指定すると共に、給電電圧が比較電圧より小さいか否かにより、垂直或いは水平偏波のいずれかを指定し、この指定衛星からの指定偏波を受信してＲＦ信号に変換したものを、受信信号として入出力端子４２から出力するようにされている。
【００３０】
尚、正電源供給回路４５，負電源供給回路４６，偏波切換制御回路４７，衛星切換制御回路４８は、例えば、特開平４−１３５３２８号公報や特開平９−１７１０４３号公報等に記載された周知のものであるため、その詳細についての説明は、ここでは省略する。
【００３１】
次に、本実施例の受信レベル測定装置１０は、図１に示すように、入出力端子１１を介して伝送線９にコンバータ３０の電源となる直流成分を印加すると共に、伝送線９を介して入力されるコンバータ３０からの受信信号（ＲＦ信号）を直流成分から分離する電源分離フィルタ１２と、後述する選局信号Ｓｓに従って、ＲＦ信号中の特定チャンネルの信号を４００ＭＨｚ帯（中心周波数４０２．７８ＭＨｚ；出力周波数に相当）の第２中間周波信号（ＩＦ信号）に変換して出力する選局回路１３と、選局回路１３からのＩＦ信号を復調する復調回路１４と、復調回路１４にて生成された復調信号の電圧レベル（即ち選局回路１３が選局したチャンネルの信号レベル）をデジタル値に変換するＡ／Ｄコンバータ１５とを備えている。
【００３２】
また、受信レベル測定装置１０は、受信レベルの測定対象となる各衛星Ａ，Ｂの偏波，チャンネル等を指定するための操作部１６と、液晶表示パネル等からなる表示装置１７と、この表示装置１７を駆動する表示制御回路１８と、コンバータ３０へ供給する直流成分を生成し、その電圧（給電電圧）を、偏波切換信号Ｓｖに従って、水平偏波指定用の高電圧（本実施例では１５Ｖ）或いは垂直偏波選択用の低電圧（本実施例では１１Ｖ）のいずれかに設定する電圧発生回路１９と、衛星切換信号Ｓｔに従って、トーン信号を発生させるトーン信号発生回路２０と、電圧発生回路１９が生成する直流成分に、トーン信号を重畳して電源分離フィルタに供給する信号重畳回路２１と、ＣＰＵ，ＲＯＭ，ＲＡＭを中心に構成された周知のマイクロコンピュータからなり、操作部１６での操作に従って各衛星Ａ，Ｂ毎に選局信号Ｓｓ，偏波切換信号Ｓｖを設定し、Ａ／Ｄコンバータ１５を介して読み込んだ電圧レベルに基づいて各衛星Ａ，Ｂの受信レベル等を表示制御回路１８を介して表示装置１７に表示させる表示制御を実行する制御回路２２とを備えている。
【００３３】
尚、信号重畳回路２１は、トランジスタＴＲ１，抵抗Ｒ１，Ｒ２からなり、電圧発生回路１９から電源分離フィルタ１２への給電経路を断続する第１スイッチング回路と、給電方向を順方向としてトランジスタＴＲ１に並列接続されたダイオードＤと、トランジスタＴＲ２，抵抗Ｒ３，Ｒ４からなり、トーン信号発生回路２０が出力するトーン信号に従って、第１スイッチング回路をオン／オフ制御する第２スイッチング回路とからなる。
【００３４】
そして、トーン信号発生回路２０の出力がHighレベルの場合、第１及び第２スイッチング回路（即ちトランジスタＴＲ１，ＴＲ２）がいずれもオン状態となるため、電源分離フィルタ１２に供給される給電電圧は、電圧発生回路１９の出力電圧より、トランジスタＴＲ１のコレクタ−エミッタ間電圧での電圧降下（０．１〜０．３Ｖ）分だけ小さいものとなる。一方、トーン信号発生回路２０の出力がLow レベルの場合、第１及び第２スイッチング回路がいずれもオフ状態となるため、電源分離フィルタ１２に供給される給電電圧は、電圧発生回路１９の出力電圧より、ダイオードＤの順方向電圧（０．７〜０．９Ｖ）分だけ小さいものとなる。
【００３５】
このため、トーン信号発生回路２０からトーン信号が出力されている時には、電圧発生回路１９が出力する直流成分に、振幅が０．６±０．２［Ｖ］のトーン信号が重畳されたものが、電源分離フィルタ１２に供給されることになる。そして、上述のように、衛星Ａを指定する場合にはトーン信号を重畳し、衛星Ｂを指定する場合にはトーン信号を重畳しないようにされ、また、水平偏波を指定する場合には給電電圧を１５Ｖとし、垂直偏波を指定する場合には給電電圧を１１Ｖとするようにされているので、これらを組み合わせた各場合における信号重畳回路２１の出力波形、即ち、伝送線９を介してコンバータ３０に供給される成分の波形は、図３に示すようなものとなる。
【００３６】
次に、制御回路２２は、上記のように、操作部１６での操作に従って選局信号Ｓｓ，偏波切換信号Ｓｖを設定し、衛星切換信号Ｓｔの出力を交互に切り換えることにより、各衛星Ａ，Ｂ毎に、使用者が指定した偏波、チャンネルの信号を選局回路１３に交互に選局させて、その信号レベル（電圧レベル）をＡ／Ｄコンバータ１５から順次読み込む。
【００３７】
そして、制御回路２２は、その読み込んだ各衛星Ａ，Ｂの信号レベルや、各衛星Ａ，Ｂの受信チャンネル（ＣＨ）、偏波（水平偏波：Ｈ、又は、垂直偏波：Ｖ）等を、表示装置１７に同時に表示させるための表示データを生成し、その生成した表示データを表示制御回路１８に出力することにより、各衛星Ａ，Ｂの信号レベルを表示装置１７に同時に表示させる。
【００３８】
即ち、図４に示すように、こうした制御回路２２の一連の制御処理によって、表示装置１７の表示画面の上段部分には、各衛星Ａ，Ｂの信号レベルがアナログ的に並列にバー表示され、表示装置１７の表示画面の下段部分には、各衛星Ａ，Ｂの信号レベル（ＬＥＶＥＬ）が、衛星名（ＳＡＴＥＬＬＩＴＥ）、受信チャンネル（ＣＨ）、垂直偏波又は水平偏波を表す偏波面情報（図では垂直偏波を表すＶ）等の受信情報と一緒に数値表示される。
【００３９】
また、制御回路２２は、表示装置１７に各衛星Ａ，Ｂの信号レベルを表示するに当たって、Ａ／Ｄコンバータ１５から読み込んだ受信信号の信号レベル（電圧レベル）から直接表示データを生成するのではなく、その信号レベルに、伝送線９で生じる受信信号の伝送損失を加算することにより、Ａ／Ｄコンバータ１５で得られた各衛星Ａ，Ｂの信号レベルを補正し、その補正後の信号レベルから表示データを生成する。
【００４０】
そして、こうした信号レベルの補正を行うために、制御回路２２内のＲＡＭの内、バッテリにより常時電源供給を受けているバックアップ領域には、伝送線９での信号の伝送特性を表す特性データが記憶されており、制御回路２２は、この特性データを用いて、選局回路１３にて選局された受信信号の伝送線９での伝送損失を算出する。
【００４１】
尚、本実施例では、伝送線９として、受信レベル測定装置１０に付属の付属ケーブルだけでなく、これ以外の一般的なケーブル（本実施例では、Ｓ５ＣＦＶ，Ｓ５ＣＦＢ，Ｓ７ＣＦＢ）を使用でき、また、使用者が適宜選択した任意のケーブルも使用できるように、ＲＡＭのバックアップ領域には、これら各ケーブル毎に、そのケーブルの伝送特性を表す特性データが記憶されている。
【００４２】
そして、図５に示すように、これら各ケーブルの特性データは、周波数の異なる２つの信号が夫々各ケーブルを通過する際に生じる単位長さ当たり（本実施例では１ｍ当たり）の伝送損失（以下、ロスという）Ｌ１，Ｌ２を表すデータと、これら各ロスＬ１，Ｌ２に対応する信号の周波数ｆ１，ｆ２を表すデータと、各ケーブルの長さＣＬを表すデータとから構成されている。
【００４３】
但し、付属ケーブルについては、長さが固定であるので、ロスＬ１，Ｌ２には、上記各周波数の信号が付属ケーブルを通過した際に生じるロス値がそのまま登録され、長さＣＬには、基準値「１」が登録されている。また、伝送特性が既知の一般ケーブル（Ｓ５ＣＦＶ，Ｓ５ＣＦＢ，Ｓ７ＣＦＢ）については、使用者が伝送線９として使用する際の長さが不明であるため、長さＣＬのデータ領域は空欄となっており、そのデータ領域に使用者が任意の長さＣＬを登録し、書き換えできるようになっている。また、使用者が適宜使用する任意ケーブルについては、伝送特性も長さも不明であるため、全てのデータ領域が空欄となっており、各データ領域に使用者が任意の値を登録し、書き換えできるようになっている。
【００４４】
そして、付属ケーブル及び一般ケーブル（Ｓ５ＣＦＶ，Ｓ５ＣＦＢ，Ｓ７ＣＦＢ）の特性データの内、ロスＬ１には、伝送線９に実際に流れる受信信号の最低周波数以下となる第１周波数（本実施例では９５０ＭＨｚ）の信号が付属ケーブルを通過する際に生じるロス値が登録され、周波数ｆ１には、これに対応する第１周波数が登録され、ロスＬ２には、伝送線９に実際に流れる受信信号の最大周波数以上となる第２周波数（本実施例では２１５０ＭＨｚ）の信号が付属ケーブルを通過する際に生じるロス値が登録され、周波数ｆ２には、これに対応する第２周波数が登録されている。
【００４５】
以下、こうしたレベル測定を行うために制御回路２２にて実行される制御処理について、図６及び図７に示すフローチャートを用いて説明する。
図６は、信号レベルの測定を行う前に、使用者が、測定対象となる受信信号の偏波の種類及びチャンネル、測定に用いる伝送線９の種類、といった測定条件を設定するために実行される測定条件設定処理を表すフローチャートである。
【００４６】
この処理は、使用者が操作部１６を操作して測定条件の設定指令を入力することにより起動される。
そして、この処理が起動されると、まずＳ１１０（Ｓはステップを表す）にて、受信アンテナ２から出力される受信信号の偏波を垂直偏波及び水平偏波の何れにするかを使用者に選択させるための偏波選択画面を表示装置１７に表示し、続くＳ１２０にて、使用者が偏波選択画面に従い操作部１６を操作することにより受信信号の偏波を選択するのを待つ。
【００４７】
次に、Ｓ１２０にて、使用者が偏波を選択したと判断されると、Ｓ１３０に移行し、選局回路１３が選局する受信信号のチャンネル（受信ＣＨ）を各衛星Ａ，Ｂ毎に使用者に指定させるための受信ＣＨ選択画面を表示装置１７に表示し、続くＳ１４０にて、使用者が受信ＣＨ選択画面に従い操作部１６を操作して各衛星Ａ，Ｂ毎の受信ＣＨを選択するのを待つ。
【００４８】
そして、Ｓ１４０にて、使用者が受信ＣＨを選択したと判断されると、Ｓ１５０に移行して、今度は、測定に使用する伝送線９の種類を使用者に指定させるためのケーブル選択画面を表示装置１７に表示し、続くＳ１６０にて、使用者がケーブル選択画面に従い操作部１６を操作してケーブルを選択するのを待つ。
【００４９】
尚、このケーブル選択画面としては、例えば、図５に示した各特性データに対応するケーブル名（付属ケーブル、Ｓ５ＣＦＶ，Ｓ５ＣＦＢ，Ｓ７ＣＦＢ、任意ケーブル）とそれに付与した番号とを表示装置に表示し、使用者が操作部１６を操作して、その選択画面に表示された任意の番号を入力することにより、伝送線９として使用するケーブルを指定できるようにすればよい。
【００５０】
次に、Ｓ１６０にて、使用者がケーブルを選択したと判断されると、今度は、Ｓ１７０に移行し、使用者が選択したケーブルの特性データは全てＲＡＭに格納されているか否かを判断する。
つまり、上述したように、ＲＡＭには、付属ケーブルの特性データは全て登録されているが、一般ケーブル（Ｓ５ＣＦＶ，Ｓ５ＣＦＢ，Ｓ７ＣＦＢ）の特性データの一部（長さＣＬ）と任意ケーブルの特性データは空欄になっており、使用者が所望の値を登録するようになっているので、Ｓ１７０では、伝送線９として、一般ケーブル（Ｓ５ＣＦＶ，Ｓ５ＣＦＢ，Ｓ７ＣＦＢ）若しくは任意ケーブルが選択された際に、その空欄のデータが既に登録されているか否かを判断するのである。
【００５１】
そして、Ｓ１７０にて、使用者が選択したケーブルの特性データは全てＲＡＭに格納されていると判断されると、続くＳ１８０に移行して、使用者が、その選択したケーブルの特性データの変更要求を入力しているか否かを判断し、特性データの変更要求が入力されていなければ、Ｓ２１０に移行し、逆に、特性データの変更要求が入力されていれば、Ｓ１９０に移行する。
【００５２】
また、Ｓ１７０にて、使用者が選択したケーブルの特性データが揃っていないと判断された場合には、そのままＳ１９０に移行する。
Ｓ１９０では、使用者が選択したケーブルに対して現在設定されている全特性データを提示して、使用者に所望のデータを入力若しくは書き換えさせるための特性データ入力画面を表示装置１７に表示する。そして、続くＳ２００では、この特性データ入力画面での使用者によるデータ入力が完了したか否かを判断することにより、使用者によるデータ入力が完了するのを待ち、データ入力が完了すると、Ｓ２１０に移行する。
【００５３】
そして、Ｓ２１０では、上記一連の処理により設定された受信信号の偏波、各衛星Ａ，Ｂ毎の受信ＣＨ、伝送線９として使用されるケーブルの種類をＲＡＭのバックアップ領域に記憶し、当該処理を終了する。
次に、図７は、図６の測定条件設定処理にて設定された測定条件（詳しくは、ＲＡＭのバックアップ領域に記憶された受信信号の偏波、各衛星Ａ，Ｂ毎の受信ＣＨ、伝送線９として使用されるケーブルの種類）に従い受信信号の信号レベルを測定するために制御回路２２で実行される受信レベル測定処理を表すフローチャートである。
【００５４】
尚、この処理は、使用者が操作部１６を操作して受信レベル測定指令を入力することにより起動され、起動後は、測定条件変更のために使用者が操作部１６を操作して測定条件の設定指令を入力するか、或いは、使用者が操作部１６を操作してレベル測定の停止指令を入力するまでの間、繰り返し実行される。
【００５５】
図７に示すように、本処理が起動されると、まずＳ３００にて、上述した測定条件設定処理によってＲＡＭに格納された測定条件を読み込み、続くＳ３１０にて、その読み込んだ測定条件に基づき、偏波の種類として水平偏波が指定されているか否かを判断する。
【００５６】
そして、偏波の種類として水平偏波が指定されている場合には、Ｓ３２０にて、電圧発生回路１９からの給電電圧が高電圧（１５Ｖ）となるよう偏波切換信号Ｓｖを設定した後、Ｓ３４０に進み、偏波の種類として垂直偏波が指定されている場合には、Ｓ３３０にて、電圧発生回路１９からの給電電圧が低電圧（１１Ｖ）となるよう偏波切換信号Ｓｖを設定した後、Ｓ３４０に進む。
【００５７】
次に、Ｓ３４０では、衛星Ａからの受信信号の信号レベルを測定するために、トーン信号発生回路２０からトーン信号が出力されるよう衛星切換信号Ｓｔを設定し、続くＳ３５０にて、Ｓ３００で読み込んだ測定条件に基づき、衛星Ａに対して指定された受信ＣＨの信号が選局回路１３で選局されるよう選局信号Ｓｓを設定する。
【００５８】
そして、続くＳ３６０では、選局回路１３からのＩＦ信号を復調回路１４にて復調してなる復調信号の電圧レベルをＡ／Ｄコンバータ１５から読み込み、その読み込んだ電圧値（単位Ｖ）を、衛星Ａからの受信信号の信号レベルＬａ（単位ｄＢμ）に変換し、続くＳ３７０にて、その信号レベルＬａを補正する。
【００５９】
尚、この補正は、Ｓ３００にて読み込んだ測定条件の内、現在伝送線９として使用されているケーブルの特性データ（ロスＬ１，Ｌ２、周波数ｆ１，ｆ２、及び、長さＣＬ）と、選局回路１３が現在選局している受信信号の周波数ｆ０とに基づき、次式(1)
0004082916.tif 000002
を用いて伝送線９で生じる受信信号のロス△Ｌを算出し、この値（△Ｌ）を、Ｓ３６０で求めた信号レベルＬａに加算する、といった手順で実行される。
【００６０】
つまり、本実施例では、伝送線９の特性データとして、周波数ｆ１，ｆ２の信号が単位長さ当たりの伝送線９を通過する際に生じるロスＬ１，Ｌ２を表すデータが設定されているので、Ｓ３７０では、これら各周波数ｆ１，ｆ２毎のデータ（ロスＬ１，Ｌ２）を用いた周知の補間計算の手法に従い、伝送線９での受信信号の伝送特性を図８に示すように線形近似して、選局回路１３が現在選局している受信信号が単位長さ当たりの伝送線９を通過する際に生じるロスＬ０を求め、更にこの値（Ｌ０）に伝送線９の長さＣＬを乗じることにより、伝送線９で実際に生じる受信信号のロス△Ｌを求め、この値（△Ｌ）をＳ３６０で求めた信号レベルＬａに加算することで、受信アンテナ２から出力されて伝送線９を通過する前の真の信号レベルＬａを算出するのである。
【００６１】
次に、このようにＳ３７０にて信号レベルＬａが補正されると、Ｓ３８０に移行し、今度は、衛星Ｂからの受信信号の信号レベルを測定するために、トーン信号発生回路２０からトーン信号が出力されないように衛星切換信号Ｓｔを設定する。
【００６２】
そして、続くＳ３９０では、Ｓ３００にて読み込んだ測定条件に基づき、衛星Ｂに対して指定された受信ＣＨの信号が選局回路１３で選局されるように選局信号Ｓｓを設定し、続くＳ４００にて、選局回路１３からのＩＦ信号を復調回路１４にて復調してなる復調信号の電圧レベルをＡ／Ｄコンバータ１５から読み込み、その読み込んだ電圧値（単位Ｖ）を、衛星Ｂからの受信信号の信号レベルＬｂ（単位ｄＢμ）に変換し、続くＳ４１０にて、その信号レベルＬｂを補正する。
【００６３】
尚、Ｓ４１０での信号レベルＬｂの補正は、Ｓ３７０で実行される信号レベルＬａの補正と同様の手順で実行される。
そして、Ｓ４１０での信号レベルＬｂの補正が完了すると、Ｓ４２０に移行し、Ｓ３７０，Ｓ４１０にて補正した各衛星Ａ，Ｂからの受信信号の信号レベルＬａ，Ｌｂを、表示制御回路１８を介して図４に示したように表示装置１７に表示させる受信レベル表示処理を実行し、当該処理を一旦終了する。
【００６４】
以上説明したように、本実施例の受信レベル測定装置１０においては、メモリ（ＲＡＭのバックアップ領域）にレベル測定用の伝送線９として使用可能な各種ケーブルの特性データが記憶されており、レベル測定の前に、使用者が伝送線９として使用するケーブルを指定しておけば、レベル測定時には、その指定されたケーブルの特性データに基づき、測定対象となる受信ＣＨの信号が伝送線９を通過する際に生じるロス△Ｌが算出され、選局回路１３及び復調回路１４にて選局・復調することにより測定した受信ＣＨの信号レベルＬａ，Ｌｂが、そのロス△Ｌを加算することにより自動で補正されて、表示装置１７に表示される。
【００６５】
従って、本実施例の受信レベル測定装置１０によれば、表示装置１７に、受信アンテナ２から出力された（換言すれば伝送線９を通過する前の）受信ＣＨの信号レベルＬａ，Ｌｂを表示させることができ、使用者は、指定した受信ＣＨの信号レベルＬａ，Ｌｂを表示装置１７から読み取る際に、伝送線９で生じるロスを考慮する必要がなく、表示された信号レベルＬａ，Ｌｂをそのまま読み取るだけで、受信アンテナ２から出力された各衛星Ａ，Ｂ毎の信号レベルを正確に測定できる。
【００６６】
また、特性データには、各周波数ｆ１，ｆ２のロスＬ１，Ｌ２がケーブル長に関係なく設定されたケーブル長固定（ＣＬ：基準値「１」）の付属データの特性データと、ケーブルの単位長さ当たりに生じる各周波数ｆ１，ｆ２のロスＬ１，Ｌ２が設定された一般及び任意ケーブルの特性データとの２種類があるが、いずれの特性データでも、受信ＣＨの信号ロスを算出する際には、受信ＣＨの周波数ｆ０を用いて、上記(1) 式に則った簡単な比例計算（周知の補間計算）を行えばよい。このため、制御回路２２には、指数演算等の複雑な演算処理を実行可能な高価なＣＰＵを用いる必要がなく、受信レベル測定装置１０のコストダウンを図ることができる。
【００６７】
また本実施例では、特性データの内、伝送特性が既知の一般ケーブルの特性データについては長さＣＬを、使用者が適宜選択可能な任意ケーブルについては特性データの全てを、使用者が自由に登録・更新できるようにされているので、ケーブルで生じる信号ロスを加算した受信レベルを表示装置１７に表示させるために、伝送線９として使用可能なケーブルが制限されることがなく、使用者は、測定に使用するケーブルを自由に選択できる。
【００６８】
尚、本実施例においては、選局回路１３とこれに受信ＣＨの信号を選局させるＳ３５０及びＳ３９０の処理とが本発明の選局手段に相当し、復調回路１４及びＡ／Ｄコンバータ１５とＡ／Ｄコンバータ１５から電圧レベルを読み込み信号レベルに変換するＳ３６０及びＳ４００の処理とが本発明の検出手段に相当する。また、表示装置１７及び表示制御回路１８が本発明の表示手段に相当し、表示制御回路１８を介して表示装置１７に受信レベルを表示させるＳ４２０の処理が本発明の制御手段に相当する。また、特性データを記憶するＲＡＭ（詳しくはそのバックアップ領域）が本発明の記憶手段に相当し、その記憶された特性データに基づき信号レベルを補正するＳ３７０及びＳ４１０の処理が本発明の補正手段に相当し、特性データを登録・更新するための実行されるＳ１７０〜Ｓ２００の処理が本発明の更新手段に相当する。
【００６９】
以上、本発明の一実施例について説明したが、本発明は上記実施例に限定されるものではなく、種々の態様を採ることができる。
例えば、上記実施例では、２つの人工衛星Ａ，Ｂからの送信電波を受信可能な受信アンテナ２の方向調整を簡単に実行できるようにするために、各衛星Ａ，Ｂからの送信電波の受信信号を受信アンテナ２から交互に出力させて、各衛星Ａ，Ｂ毎に所望チャンネルの受信信号の信号レベルＬａ，Ｌｂを測定し、その測定結果を表示装置１７に同時に表示する受信レベル測定装置について説明したが、本発明は、受信アンテナ２から出力される受信信号の中から特定チャンネルの受信信号を選局してその信号レベルを測定する装置であれば、どのような測定装置でも適用できる。
【００７０】
また、上記実施例では、選局回路１３にて選局された受信信号を復調回路１４で復調し、その復調された信号の電圧レベルから信号レベルを測定するものとして説明したが、これは、人工衛星からの放送信号の信号レベルを正確に測定するためであり、地上局からの放送信号の信号レベルを測定する場合等は、選局回路１３にて選局された受信信号の電圧レベルをそのまま信号レベルとして測定するようにしてもよい。
【図面の簡単な説明】
【図１】  実施例の受信レベル測定装置全体の構成を表すブロック図である。
【図２】  受信アンテナのコンバータの概略構成を表すブロック図である。
【図３】  受信レベル測定装置の信号重畳回路の出力波形を表すグラフである。
【図４】  表示装置への信号レベルの表示状態を表す説明図である。
【図５】  伝送線（ケーブル）の特性データを表す説明図である。
【図６】  測定条件設定処理を表すフローチャートである。
【図７】  受信レベル測定処理を表すフローチャートである。
【図８】  特性データを用いて受信ＣＨのロスを補間計算する手順を説明する説明図である。
【符号の説明】
２…受信アンテナ、９…伝送線、１０…受信レベル測定装置、１２…電源分離フィルタ、１３…選局回路、１４…復調回路、１５…Ａ／Ｄコンバータ、１６…操作部、１７…表示装置、１８…表示制御回路、１９…電圧発生回路、２０…トーン信号発生回路、２１…信号重畳回路、２２…制御回路、３０…コンバータ。
【図１】
0004082916.tif 000003
【図２】
0004082916.tif 000004
【図３】
0004082916.tif 000005
【図４】
0004082916.tif 000006
【図５】
0004082916.tif 000007
【図６】
0004082916.tif 000008
【図７】
0004082916.tif 000009
【図８】
0004082916.tif 000010